(57)【要約】【課題】フィルタ前後の差圧に基づいて制御対象の制御を行う際に、フィルタを流通する流量が少ない場合にも、制御対象を適切に制御することの可能な液体処理装置を提供する。【解決手段】フィルタ２を備えた液体処理装置１００であって、圧力センサ６と、流量計９と、制御手段７とを備え、圧力センサ６は、フィルタ２の一次圧Ｐ１及び二次圧Ｐ２を検出するよう構成され、流量計９は、フィルタ２により濾過処理される液体の流量を検出するよう構成され、制御手段７は、圧力センサ６によって検出された一次圧Ｐ１と二次圧Ｐ２の差圧ΔＰを、流量計９により検出された液体の流量に基づいて設定される閾値Ｐｑと比較することで、制御対象の制御を行う、液体処理装置１００が提供される。【選択図】図１
2020131154.tif 000002
【特許請求の範囲】
【請求項１】
フィルタを備えた液体処理装置であって、
圧力センサと、流量計と、制御手段とを備え、
前記圧力センサは、前記フィルタの一次圧及び二次圧を検出するよう構成され、
前記流量計は、前記フィルタにより濾過処理される液体の流量を検出するよう構成され、
前記制御手段は、前記圧力センサによって検出された前記一次圧と二次圧の差圧を、前記流量計により検出された液体の流量に基づいて設定される閾値と比較することで、制御対象の制御を行う、液体処理装置。
【請求項２】
請求項１に記載の液体処理装置であって、
前記制御対象は、下記（１）〜（３）の少なくとも１つである、液体処理装置。
（１）前記フィルタに向かって洗浄液を噴出するよう構成された洗浄液噴出手段の動作
（２）前記フィルタにより濾過処理される液体の流量
（３）前記液体処理装置の動作
【請求項３】
請求項１又は請求項２に記載の液体処理装置であって、
前記制御手段は、前記閾値の設定を、都度計算によって又は予め記憶されたテーブルに基づいて行う、液体処理装置。
【請求項４】
請求項１〜請求項３の何れかに記載の液体処理装置であって、
排出手段と、回転手段とを備え、
前記フィルタは円筒状に形成され、
前記排出手段は、排出ノズルと、排出管とを備え、
前記排出ノズルは、前記フィルタの一次側において前記フィルタに対向するよう配置され、
前記排出管は、前記排出ノズルから導入された水を前記液体処理装置の外部に排出するよう配置され、
前記回転手段は、前記フィルタを回転させるよう構成される、水処理装置。
【発明の詳細な説明】
【技術分野】
【０００１】
本発明は、フィルタを有する液体処理装置に関する。
【背景技術】
【０００２】
タンカー等の船舶は、積み荷の原油等を降ろした後、再度目的地に向けて航行する際、航行中の船舶のバランスを取るため、通常、バラスト水と呼ばれる水をバラストタンク内に貯留する。このような船舶には、バラスト水の注排水による生態系の破壊を防ぐため、バラスト水を浄化処理する水処理装置（バラスト水処理装置）が設けられている。
【０００３】
バラスト水処理装置の一種としては、円筒状のフィルタをケーシング内に配置することでバラスト水を濾過処理する方式のもの（濾過装置）が知られている。この方式においては、フィルタの閉塞を防ぐため、恒常的なフィルタの洗浄が重要とされている。
【０００４】
そこで、フィルタに堆積している異物を除去する構成として、例えば特許文献１には、フィルタの二次側に配置され、フィルタに向かって洗浄水を噴出する洗浄ノズルを備えたものが記載されている。
【先行技術文献】
【特許文献】
【０００５】
【特許文献１】特開２００４−１４１７８５号公報
【発明の概要】
【発明が解決しようとする課題】
【０００６】
ところで、このような洗浄ノズルを備える濾過装置では、フィルタ前後の差圧に基づいて洗浄水の噴出を制御している。しかしながら、フィルタを流通する水等の液体の流量が少ない場合、フィルタ詰まりが進行しても、洗浄液を噴出させる差圧に達しないため洗浄が行われないという問題があった。また、このような状態で流量を増加させると、差圧が大きくなってフィルタ等に悪影響を及ぼすおそれもあった。
【０００７】
さらに、洗浄水の噴出の制御に限らず、フィルタを流通する水等の液体の流量や、バラスト水処理装置自体等といった制御対象の動作についても、フィルタ前後の差圧に基づいて制御することが考えられる。しかしながらこの場合も、流通する水等の液体の流量が少ないと差圧が上昇しないため、適切な制御を行うことは困難であった。
【０００８】
本発明は、このような事情に鑑みてなされたものであり、フィルタ前後の差圧に基づいて制御対象の制御を行う際に、フィルタを流通する流量が少ない場合にも、制御対象を適切に制御することの可能な液体処理装置を提供することを目的とする。
【課題を解決するための手段】
【０００９】
本発明によれば、フィルタを備えた液体処理装置であって、圧力センサと、流量計と、制御手段とを備え、前記圧力センサは、前記フィルタの一次圧及び二次圧を検出するよう構成され、前記流量計は、前記フィルタにより濾過処理される液体の流量を検出するよう構成され、前記制御手段は、前記圧力センサによって検出された前記一次圧と二次圧の差圧を、前記流量計により検出された液体の流量に基づいて設定される閾値と比較することで、制御対象の制御を行う、液体処理装置が提供される。
【００１０】
本発明によれば、制御手段が、フィルタの一次圧と二次圧の差圧及びフィルタを流通する液体の流量に基づいて洗浄液噴出手段を制御することから、フィルタを流通する液体の流量が変化する場合であっても、適切にフィルタを洗浄することが可能となっている。
【００１１】
以下、本発明の種々の実施形態を例示する。以下に示す実施形態は互いに組み合わせ可能である。
【００１２】
好ましくは、前記制御対象は、下記（１）〜（３）の少なくとも１つである。
（１）前記フィルタに向かって洗浄液を噴出するよう構成された洗浄液噴出手段の動作
（２）前記フィルタにより濾過処理される液体の流量
（３）前記液体処理装置の動作
【００１３】
好ましくは、前記制御手段は、前記閾値の設定を、都度計算によって又は予め記憶されたテーブルに基づいて行う。
【００１４】
好ましくは、排出手段と、回転手段とを備え、前記フィルタは円筒状に形成され、前記排出手段は、排出ノズルと、排出管とを備え、前記排出ノズルは、前記フィルタの一次側において前記フィルタに対向するよう配置され、前記排出管は、前記排出ノズルから導入された水を前記液体処理装置の外部に排出するよう配置され、前記回転手段は、前記フィルタを回転させるよう構成される。
【図面の簡単な説明】
【００１５】
【図１】本発明の実施形態に係るバラスト水処理装置１００の構成を示す図である。
【発明を実施するための形態】
【００１６】
以下、本発明の実施形態について説明する。以下に示す実施形態中で示した各種特徴事項は、互いに組み合わせ可能である。また、各特徴について独立して発明が成立する。
【００１７】
本発明の実施形態に係る液体処理装置としてのバラスト水処理装置１００は、船舶に設置されるバラスト装置において、バラスト水の浄化のために導入される。なお、本明細書における「バラスト水」については、バラストタンク（図示せず）に導入される前又はバラストタンクから排出された後に拘わらず、また、バラスト水処理装置１００に導入（流入）される前又はバラスト水処理装置１００から排出（流出）された後に拘わらず、船内に取り込まれた水を全て「バラスト水」と表現する。また、船内に取り込むバラスト水には、海水、淡水、汽水等が含まれるものとする。
【００１８】
１．構成
本実施形態のバラスト水処理装置１００は、図１に示すように、円筒状のケーシング１と、円筒状のフィルタ２と、フィルタ回転手段３とを備える。円筒状のフィルタ２は、ケーシング１内に配置され内部（一次側）に流入した海水等の濾過処理前のバラスト水を濾過して外部（二次側）へ流出させる。フィルタ回転手段３は、フィルタ２をその軸心を中心に回転させる。
【００１９】
また、バラスト水処理装置１００は、濾過処理中のフィルタ２の洗浄のため、フィルタ２の一次側のバラスト水を排出する排出手段４と、フィルタ２の二次側に設けられ、フィルタ２に向かって洗浄水を噴出する洗浄液噴出手段５と、フィルタ２の一次側の圧力（一次圧）及び二次側の圧力（二次圧）を検出する圧力センサ６と、制御手段７とを備える。以下、各構成を具体的に説明する。
【００２０】
ケーシング１は、円筒状に形成され、上部開口部が蓋部１１で、下部開口部が底部１２で密閉されている。ケーシング１内に配置された円筒状のフィルタ２は、その上部開口部が上閉止部１３で密閉され、下部開口部が下閉止部１４で閉止される。これらの構成により、フィルタ２内部（一次側）が、ケーシング１とフィルタ２の間（二次側）と隔てられている。フィルタ２は、例えば、多数の貫通孔が形成された金属板を円筒状に曲げ加工すると共に、円筒状の軸方向に延びる一対の側縁部を溶接することにより形成される。
【００２１】
ケーシング１の下部には、濾過処理前のバラスト水をフィルタ２の内部に導入する導入口１５が設けられる。導入口１５には、導入ラインＬ１が接続される。導入ラインＬ１には、開閉弁Ｖ１を挟んで開閉弁バラスト水を圧送するバラスト装置のポンプ８が接続される。また、ケーシング１の側部には、フィルタ２を通過した濾過処理後のバラスト水が流出する流出口１６が設けられる。
【００２２】
導入ラインＬ１を流れ導入口１５から導入されたバラスト水は、下部回転軸部材３２を通ってフィルタ２内に入り、フィルタ２を通過し濾過処理されてケーシング１とフィルタ２の間に形成される空間に入り、流出口１６から流出する。流出口１６から流出した濾過処理後のバラスト水は、流出ラインＬ２を流通してバラストタンク（図示せず）に貯留される。
【００２３】
なお、流出ラインＬ２には、開閉弁Ｖ２と、流量計９とが設けられる。流量計９は、バラスト水処理装置１００（フィルタ２）を流通して処理されるバラスト水の流量を検出する。また、流出ラインＬ２上に、紫外線により生物を殺滅する紫外線処理装置（図示せず）などの他の浄化手段を配置することも好適である。
【００２４】
フィルタ回転手段３は、上部回転軸部材３１と、下部回転軸部材３２と、モータ３３とを備える。上部回転軸部材３１は、フィルタ２の上閉止部１３を保持し、下部回転軸部材３２は、下閉止部１４を保持する。モータ３３は、上部回転軸部材３１を回転させる。また、上部回転軸部材３１は、ケーシング１の蓋部１１を貫通し、シーリングされた軸受部材１８を介して蓋部１１に回転自在に且つ液密に支持される。下部回転軸部材３２は、ケーシング１の底部１２を貫通し、シーリングされた軸受部材１９を介して底部１２に回転自在に且つ液密に支持される。下部回転軸部材３２は、フィルタ２内と連通するとともにケーシング１の底部１２からケーシング１の外に突出する管状体となっている。
【００２５】
排出手段４は、複数の排出ノズル４１と、排出管４２とを備える。排出手段４は、フィルタ２に付着した異物をケーシング１の外部へと排出するために用いられる。
【００２６】
排出ノズル４１は、その先端部がフィルタ２の内周面（一次側面）に向かってスリット状に開口し、フィルタ２に対向するよう配置される。排出ノズル４１の基端部は、排出管４２に接続される。本実施形態において、排出ノズル４１は、周方向に９０度間隔で４列、それぞれ上下方向に３本づつ、合計１２本設けられる（図１では、右方向に延びるもの以外を省略している）。そして、上下に配置されている排出ノズル４１の間の未吸引部を無くすため、１方の列の排出ノズル４１の間に他の列の排出ノズル４１が位置するよう、列ごとに高さ方向の位置をずらして配置されている。
【００２７】
排出管４２は、上部側がフィルタ２の内部に配置され、下部側がケーシング１外へと延びる。より具体的には、排出管４２の上部は、フィルタ２の中心軸に一致する位置に配置され、上端部が閉鎖し下端部が開口している。排出管４２の上端部は、フィルタ２の上部回転軸部材３１の中央に設けられた孔に挿入されて支持されている。排出管の下部は、下部回転軸部材３２の内部を、フィルタ２の回転を妨げないように下方に延びる。排出管４２の下端側は、屈曲して延びており、導入口１５の周面を貫通している。排出管４２には、排出ノズル４１を流通したバラスト水及び異物が集合して流通し、これらをケーシング１（バラスト水処理装置１００）の外部へと排出する。また、本実施形態の排出管４２には、開度調整が可能な調整弁（図示せず）が設けられている。
【００２８】
洗浄液噴出手段５は、複数の洗浄ノズル５１と、洗浄ライン５２と、洗浄ポンプ５３とを備える。複数の洗浄ノズル５１は、ケーシング１の側部に設けられており、先端部がケーシング内、特にフィルタ２の外周面に向かって開口している。本実施形態では、各洗浄ノズル５１を、複数配置された各排出ノズル４１と同周上に配置している。なお、各洗浄ノズル５１は、フィルタ２の軸方向全域に洗浄液を噴出できることが好ましいが、その構成は特に限定されるものではない。
【００２９】
洗浄ライン５２は、各洗浄ノズル５１と接続され、洗浄ポンプ５３によって圧送される洗浄液を各洗浄ノズル５１に供給する。洗浄ライン５２にはまた、開閉弁５４が設けられている。洗浄ライン５２の上流側は、洗浄液供給源（図示せず）に接続される。洗浄液としては、フィルタ２で処理されたバラスト水を用いることが可能である。ただし、バラストタンク内に貯留された水、他の用途で使用する目的で貯留されている生活用水や飲料水などを用いても良い。
【００３０】
圧力センサ６は、一次側センサ６１と、二次側センサ６２とを備える。一次側センサ６１は、フィルタ２の一次側に配置され、フィルタ２の一次圧Ｐ１を検出する。二次側センサ６２は、フィルタ２の二次側に配置され、フィルタ２の二次圧Ｐ２を検出する。なお、「フィルタ２の一次側」の具体的な位置としては例えば、フィルタ２の内部や導入口１５内部、また、導入ラインＬ１上が挙げられる。ただし、これらの位置に限定されるものではない。また、「フィルタ２の二次側」の具体的な位置としては例えば、ケーシング１とフィルタ２との間の空間（ケーシング１にソケットを設置するものを含む）や流出口１６内部、また、流出ラインＬ２上が挙げられる。ただし、これらの位置に限定されるものではない。
【００３１】
制御手段７は、一次側センサ６１により検出されたフィルタ２の一次圧Ｐ１と、二次側センサ６２により検出されたフィルタ２の二次圧Ｐ２から、一次圧Ｐ１と二次圧Ｐ２の差圧ΔＰ（＝Ｐ１−Ｐ２）を導出する。この差圧ΔＰにより、フィルタ２の汚れ具合を判断することができる。すなわち、差圧ΔＰが大きい場合はフィルタ２への異物の堆積量が多くなっていることを示し、差圧が小さい場合はフィルタ２が初期状態に近い状態であることを示している。
【００３２】
また、制御手段７は、流出ラインＬ２に設置された流量計９から、流通するバラスト水の流量Ｑを取得する。そして、制御手段７は、これら差圧ΔＰ及び流量Ｑに基づいて、洗浄液噴出手段５の作動を制御する。制御手段７による洗浄液噴出手段５の具体的な制御については、後述する。
【００３３】
２．動作
次に、本実施形態のバラスト水処理装置１００の動作、特に濾過処理中のフィルタ２の洗浄の動作を説明する。
【００３４】
ポンプ８の駆動によりバラスト水が導入ラインＬ１を通って導入口１５から流入すると、バラスト水はフィルタ２内に入り、フィルタ２を通過し濾過処理される。この際、フィルタ回転手段３はフィルタ２を回転させる。これにより、フィルタ２は排出手段４に対し相対回転する。そして、バラスト水は、ケーシング１とフィルタ２の間に形成される空間に入り、流出口１６から流出する。流出したバラスト水は、流出ラインＬ２を通ってバラストタンク（図示せず）に貯留される。
【００３５】
バラスト水の濾過処理中の洗浄動作は、濾過処理中に連続あるいは間欠的に行われる。具体的には、排出手段４内の圧力はフィルタ２の二次圧よりも低いため、排出管４２に設置される調整弁を開いておくことで、フィルタ２に付着した異物がフィルタ２の二次側にある濾過後のバラスト水と一緒に排出ノズル４１の開口から吸引され、排出管４２を通って外部へ排出されるようになっている。
【００３６】
また、濾過処理中の洗浄の際には、制御手段７による制御により洗浄液噴出手段５の開閉弁５４を開くとともに洗浄ポンプ５３を駆動させ、各洗浄ノズル５１からフィルタ２に向かって洗浄液を噴出させる。洗浄液が噴出されると、フィルタ２の一次側に堆積した異物が剥離され、剥離した直後に排出ノズル４１による吸引が行われるので、フィルタ２から剥離した異物が排出ノズル４１により効果的に吸引される。
【００３７】
ここで、制御手段７は、差圧ΔＰを所定の閾値Ｐｑと比較することで、洗浄液噴出手段５の作動を制御する。閾値Ｐｑは、制御手段７の記憶部（図示せず）に記憶されている。具体的には、制御手段７は、差圧ΔＰが閾値Ｐｑ以下である場合、フィルタ２への異物の堆積量が少ないと判断して、洗浄液噴出手段５の動作を停止する。一方、制御手段７は、差圧ΔＰが閾値Ｐｑよりも大きい場合、フィルタ２への異物の堆積量が増加したと判断して、洗浄液噴出手段５を動作させ、洗浄を開始する。なお、本実施形態では、「洗浄液噴出手段５の動作」が制御手段７の制御対象となる。
【００３８】
そして、本実施形態において制御手段７は、流量計９により検出された流通するバラスト水の流量Ｑに基づいて（流量Ｑに応じて）、差圧ΔＰの閾値Ｐｑを変更する。具体的には、制御手段７は、バラスト水の流量Ｑが少ない場合には閾値Ｐｑを小さく設定して差圧ΔＰが小さくても洗浄液噴出手段５を作動させる。一方、バラスト水の流量Ｑが定格処理流量である場合は、流量Ｑが少ない場合よりも閾値Ｐｑを上げ、差圧ΔＰが大きくなるまで洗浄液噴出手段５を作動させない。なお、バラスト水の流量Ｑが定格処理流量以上になった場合には、閾値Ｐｑを維持しても、閾値Ｐｑをさらに大きく設定しても良い。
【００３９】
制御手段７による、流通するバラスト水の流量Ｑに基づく閾値Ｐｑの変更のより具体的な例は、以下のとおりである。制御手段７は、バラスト水処理装置１００の定格流量をＱｒとすると、流量ＱがＱｒ／３未満（Ｑ＜Ｑｒ／３）の場合は閾値Ｐｑを第１閾値Ｐｑ１に設定し、流量ＱがＱｒ／３以上Ｑｒ／２未満（Ｑｒ／３＜Ｑ＜Ｑｒ／２）の場合は閾値Ｐｑを第１閾値Ｐｑ１よりも大きい第２閾値Ｐｑ２（＞Ｐｑ１）に設定し、流量ＱがＱｒ／２以上（Ｑｒ／２＜Ｑ）の場合は閾値Ｐｑを第２閾値Ｐｑ２よりも大きい第３閾値Ｐｑ３（＞Ｐｑ２）に設定する。なお、流出ラインＬ２に紫外線リアクタ（図示せず）を設置する場合は、バラスト水処理装置１００の定格流量ではなく紫外線リアクタの定格流量をもとに基準となる流量を規定しても良い。
【００４０】
このように、制御手段７は、流量Ｑに応じた複数の閾値Ｐｑ（例えば、第１閾値Ｐｑ１〜第３閾値Ｐｑ３）をテーブルとして記憶しておき、テーブルに基づいて閾値Ｐｑを設定するようになっている。なお、流量Ｑに応じて、閾値Ｐｑに加えて、洗浄液の噴出圧力を調整する制御を行うことも可能である。
【００４１】
また、制御手段７による、流通するバラスト水の流量Ｑに基づく差圧ΔＰの閾値Ｐｑの変更の別例として、以下の計算式（ｉ）を用いることも可能である。この制御においては、流量Ｑの変化に応じて閾値Ｐｑを都度計算している。
Ｐｑ＝（Ｑ／Ｑｒ）α×ΔＰ×β（ここで、Ｑ：流量、Ｑｒ：定格流量、α、β：定数）・・・（ｉ）
このような計算式（ｉ）によって、差圧ΔＰの閾値をリアルタイムに算出して用いることによっても、制御手段７は洗浄液噴出手段５を適切に動作させることが可能である。
【００４２】
３．効果
以上のように、本実施形態のバラスト水処理装置１００は、制御手段７が、圧力センサ６によって検出されたフィルタ２の差圧ΔＰを流量Ｑに基づいて設定される閾値Ｐｑと比較することで洗浄液噴出手段５の作動を制御している。このような構成により、フィルタ２を流通するバラスト水の流量Ｑが変化する場合であっても、流量Ｑに応じて洗浄液噴出手段５を適切に作動させ、フィルタ２を洗浄することが可能となっている。
【００４３】
具体的には例えば、流出ラインＬ２に紫外線リアクタを設置している場合において、紫外線照射を適切に行うため流量Ｑを落とした場合のことを考える。この場合、閾値Ｐｑを一定値として設定していると、フィルタ詰まりが進行しても流量Ｑが小さいと洗浄液を噴出させる差圧に達しないため、洗浄が適切に行われないおそれがある。しかしながら、本実施形態の制御手段７は、バラスト水の流量Ｑが少ない場合には閾値Ｐｑを小さく設定するようになっている。したがって、差圧ΔＰの値が小さくてもフィルタ２に詰まりが生じていると判断することができ、洗浄液を噴出してフィルタ詰まりを抑制することが可能となっている。
【００４４】
また、逆に流量Ｑが多い場合には、差圧ΔＰはフィルタ２に詰まりが生じていなくてもやや大きな値をとることになるが、閾値Ｐｑを大きく設定することで、不要な洗浄液の噴出を抑制することが可能となっている。
【００４５】
４．変形例
なお、本発明は、以下の形態でも実施することができる。
・上記実施形態では、制御手段７は閾値Ｐｑの値はバラスト水の流量Ｑに応じて第１閾値Ｐｑ１〜第３閾値Ｐｑ３の３つの閾値を設定するよう構成されていたが、流量Ｑに応じて２段階あるいは４段階以上の閾値を設定することも可能である。また、制御手段７は、バラスト水の流量Ｑに応じて、無断階に閾値Ｐｑを比例的に変更するよう制御することも可能である。
・上記実施形態では、差圧ΔＰを流量Ｑに基づいて設定される閾値Ｐｑと比較して制御を行う制御手段７の制御対象として、洗浄液噴出手段５の動作を挙げて説明したが、制御対象は洗浄液噴出手段５の動作に限定されない。例えば、制御手段７は、差圧ΔＰを流量Ｑに基づいて設定される閾値Ｐｑと比較することで、フィルタ２により濾過処理される液体の流量Ｑそのものを制御することも可能である。また、制御手段７は、差圧ΔＰを流量Ｑに基づいて設定される閾値Ｐｑと比較することで、バラスト水処理装置１００そのものの動作（浄化処理の停止等）を制御することも可能である。加えて、洗浄液噴出手段５の動作、フィルタ２により濾過処理される液体の流量Ｑ、バラスト水処理装置１００の動作のうち、２以上のものを差圧ΔＰを流量Ｑに基づいて設定される閾値Ｐｑと比較することで制御する構成とすることも可能である。なお、フィルタ２により濾過処理される液体の流量Ｑそのものを制御する構成及び、バラスト水処理装置１００そのものの動作を制御する構成を含む場合には、バラスト水処理装置１００は洗浄液噴出手段５を備えていなくても良い。すなわち、洗浄液噴出手段５を有しないバラスト水処理装置１００も、本発明の対象となる。
・上記実施形態におけるバラスト水処理装置１００は、フィルタ２を排出手段４に対して相対回転させる構成であったが、これに限らない。すなわち、本発明を、固定されたフィルタ２に対して排出手段４（排出ノズル４１）が回転する構成のバラスト水処理装置に適用しても良い。また、本発明を、排出ノズル４１及びフィルタ２がともに回転しない構成のバラスト水処理装置に適用することも可能である。
・上記実施形態では、排出手段４をフィルタ２の内側に配置していたが、排出手段４をフィルタ２の外側に配置することも可能である。つまり、排出手段４はフィルタ２の一次側に配置しても良く、フィルタ２の二次側に配置しても良い。
・上記実施形態では、流量計９が流出ラインＬ２に設けられていたが、これに限らない。すなわち、流量計９は、フィルタ２を流通して処理されるバラスト水の流量を検出可能であれば、バラスト水の流路上の任意の位置に配置することができる。
・上記実施形態では、本発明を、船舶で用いられバラスト水を処理するバラスト水処理装置に適用したが、これに限らない。即ち、本発明を、海、河川、湖沼、池等の水、及び工業水等を処理する水処理装置に適用してもよい。さらに、水を処理する水処理装置ではなく、水以外の液体（例えば、油）を処理する液体処理装置に適用することも可能である。
【符号の説明】
【００４６】
１      ：ケーシング
２      ：フィルタ
３      ：フィルタ回転手段
４      ：排出手段
５      ：洗浄液噴出手段（制御対象）
６      ：圧力センサ
７      ：制御手段
８      ：ポンプ
９      ：流量計
１１    ：蓋部
１２    ：底部
１３    ：上閉止部
１４    ：下閉止部
１５    ：導入口
１６    ：流出口
１８    ：軸受部材
１９    ：軸受部材
３１    ：上部回転軸部材
３２    ：下部回転軸部材
３３    ：モータ
４１    ：排出ノズル
４２    ：排出管
５１    ：洗浄ノズル
５２    ：洗浄ライン
５３    ：洗浄ポンプ
５４    ：開閉弁
６１    ：一次側センサ
６２    ：二次側センサ
１００  ：バラスト水処理装置（液体処理装置）
Ｌ１    ：導入ライン
Ｌ２    ：流出ライン
ΔＰ      ：差圧
Ｐ１    ：一次圧
Ｐ２    ：二次圧
Ｐｑ    ：閾値
Ｐｑ１  ：第１閾値
Ｐｑ２  ：第２閾値
Ｐｑ３  ：第３閾値
Ｑ      ：流量
Ｖ１    ：開閉弁
Ｖ２    ：開閉弁
【図１】
2020131154.tif 000003